(57)【要約】【課題】コンクリート製電柱等の中空柱を補強する棒状部材を挿入された補強材配置用治具を中空柱の内周面に引っ掛けることなく円滑に吊り上げることができる。【解決手段】中空柱内に補強材として挿入される複数の棒状部材を保持する複数の保持部が可撓性を有するワイヤと円弧部で構成され、ワイヤの湾曲膨出部が中空柱の内周面に対向するように取り付けられている。【選択図】図１
2010047982.tif 000002
【特許請求の範囲】
【請求項１】
中空柱を補強するために中空柱の長手方向に沿って中空柱内に補強材として挿入される複数の棒状部材を中空柱内に配置するための中空柱用補強材配置用治具であって、
前記中空柱の内周面に対向するように開口部が形成される複数の円弧部と、
湾曲膨出部が中空柱の内周面に対向するように複数の円弧部の開口部の両端に円弧状に取り付けられ、前記棒状部材が挿入される保持部を円弧部との間で形成する複数の可撓性を有するワイヤと、
前記複数の円弧部を中空柱内でその円周方向に均等に配置するように複数の円弧部を一体的に保持するフレームと
を有することを特徴とする中空柱用補強材配置用治具。
【請求項２】
前記フレームは、中心にガイド軸が貫通するガイド孔が形成される中心部を有することを特徴とする請求項１記載の中空柱用補強材配置用治具。
【請求項３】
前記フレームは、前記中心部から前記円弧部に延出する複数のアームを有することを特徴とする請求項２記載の中空柱用補強材配置用治具。
【請求項４】
前記フレームは、前記中心部の外側が膨出して構成され、この膨出した外側に前記複数の円弧部が設けられていることを特徴とする請求項２記載の中空柱用補強材配置用治具。
【請求項５】
前記フレームは、前記複数の円弧部をリング状に保持するリング部と、このリング部を前記中心部に連結する連結部とを有することを特徴とする請求項２記載の中空柱用補強材配置用治具。
【請求項６】
前記円弧部は、隣接する円弧部の端部同士が互いに連結されていることを特徴とする請求項３乃至５のいずれか１項に記載の中空柱用補強材配置用治具。
【請求項７】
前記ワイヤは、複数の円弧部のうち、所望の位置の円弧部の開口部にのみ取り付けられることを特徴とする請求項１乃至６のいずれか１項に記載の中空柱用補強材配置用治具。
【請求項８】
複数の棒状部材を中空柱内に均等に配置すべく、前記フレームは前記複数の円弧部を中空柱内で円周方向に均等に配置するように構成されていることを特徴とする請求項１乃至７のいずれか１項に記載の中空柱用補強材配置用治具。
【発明の詳細な説明】
【技術分野】
【０００１】
本発明は、コンクリート製電柱や鋼管柱等の中空柱を補強する複数の棒状部材を中空柱内に均等に配置するための中空柱用補強材配置用治具に関し、更に詳しくは、中空柱を補強するために中空柱内にモルタル等とともに補強材として挿入される例えばロッドやＰＣ鋼線等の複数の棒状部材を中空柱内に均等に配置するための中空柱用補強材配置用治具に関する。
【背景技術】
【０００２】
コンクリート製の電柱は、通常、電柱の基端部の所定長部分が地中に埋設されて地上に立設される。このような電柱は、その外周部が鉄筋とコンクリートにより作製される筒状体であり、その内部は空洞、すなわち中空となっている。
【０００３】
このようなコンクリート製電柱は、例えば、電柱の地際から１ｍ程上方の電柱側面に形成されたアース孔などの側面開口から電柱の内部に補強材としての棒状部材を複数本挿入してから、これらの棒状部材の隙間に例えば豆砂利や砕石を投入し、更にモルタルやコンクリートなどを順次投入し、補強するようにしている。
【０００４】
前記複数の棒状部材は、コンクリート製電柱を補強するために電柱内に均等に配置されうるように図１５（ａ）に示すような中空柱用補強材配置用治具（以下、補強材配置用治具と称する）９９を用いて電柱内に挿入される。図１５(ｂ)は、このような補強材配置用治具９９を用いて、電柱１の内部に複数本（同図では４本）の棒状部材１００を均等に配置しようとする様子を示した図である。
【０００５】
図１５(ａ)に示す従来の補強材配置用治具９９は、円環状のフレーム１２１の外周に例えば鉄筋等でＵ字状に形成された複数(同図では４個)の保持部１２３を溶接等により固設されて構成されている。また、フレーム１２１の内側には、ガイドフレーム１２５が設けられ、このガイドフレーム１２５の外周部には一対のフック１２７が溶接により固設されている。これらフック１２７は、Ｕ字状の細い鉄筋等が、一側が上向きに、他方の側が下向きに設けられている。
【０００６】
図１５（ｂ）において、４本の棒状部材１００は、電柱１の下方に形成された側面開口１０１から電柱１の内部に挿入され、同図に示すように上方に引き上げられる。また、補強材配置用治具９９は、下方の側面開口１０１から電柱１内に挿入され、まず４本の棒状部材１００の下方に設けられてから、電柱１の最上部の頂部開口１３１から吊り下げられた図示しない吊り糸で上方に引き上げられつつ、図示しない操作具で補強材配置用治具９９を操作して位置や姿勢を調整しながら、補強材配置用治具９９の４個の保持部１２３内に４本の棒状部材１００をそれぞれ挿入し、それから同図に示すように電柱１内の所定の上方まで吊り糸で引き上げられる。この結果、４本の棒状部材１００は、補強材配置用治具９９の４個の保持部１２３で決まる電柱１内の所定位置に均等に配置される。
【０００７】
図１６は、上述した補強材配置用治具９９を複数用いて、電柱１内で複数の棒状部材１００を保持するとともに、棒状部材１００の下端部にも同様な棒状部材１３３を複数設けて電柱１の下端部を補強し、それから複数の棒状部材の隙間に例えば豆砂利や砕石１３５を投入し、更にモルタル１３７を順次電柱１の内部全体に投入して、全体的に補強した電柱１を示している断面図である。
【特許文献１】特願２００７-７７６１３号
【発明の開示】
【発明が解決しようとする課題】
【０００８】
上述したように、コンクリート製の電柱１を補強するために電柱１内に挿入される複数の棒状部材１００を電柱１内に均等に配置するために使用される従来の補強材配置用治具９９は、図１５(ａ)に示すように鉄筋等でＵ字状に形成された保持部１２３が円環状のフレーム１２１に固設されている。
【０００９】
また、上述したように、棒状部材１００や補強材配置用治具９９が挿入されモルタルなどを充填されて全体的に補強される以前のコンクレート製電柱１は、外周部が鉄筋とコンクリートにより作製される筒状体であり、その内部は空洞であって、電柱１の内周面にはコンクリートが内側に膨出して、いわゆるノロが形成され、更に電柱１のコンクリート外周部を構成している鉄筋を相互に固定する針金が中空部側に突出している。
【００１０】
従って、このように内周面にノロが膨出したり、針金が突出している電柱１の内部に補強材配置用治具９９を挿入して吊り上げようとすると、そのＵ字状の保持部１２３が電柱１の内周面から膨出したり突出したノロや針金に引っ掛かってしまって、補強材配置用治具９９を電柱１内で上方に円滑に吊り上げることができないという問題がある。
【００１１】
本発明は、上記に鑑みてなされたもので、その目的とするところは、中空柱を補強する棒状部材を均等に配置するために中空柱内に挿入されて円滑に吊り上げることができる中空柱用補強材配置用治具を提供することにある。
【課題を解決するための手段】
【００１２】
上記課題を達成するため、請求項１記載の中空柱用補強材配置用治具は、中空柱を補強するために中空柱の長手方向に沿って中空柱内に補強材として挿入される複数の棒状部材を中空柱内に配置するための中空柱用補強材配置用治具であって、前記中空柱の内周面に対向するように開口部が形成される複数の円弧部と、湾曲膨出部が中空柱の内周面に対向するように複数の円弧部の開口部の両端に円弧状に取り付けられ、前記棒状部材が挿入される保持部を円弧部との間で形成する複数の可撓性を有するワイヤと、前記複数の円弧部を中空柱内でその円周方向に均等に配置するように複数の円弧部を一体的に保持するフレームとを有することを要旨とする。
【００１３】
請求項１記載の中空柱用補強材配置用治具によれば、棒状部材を保持する複数の保持部が可撓性を有するワイヤと円弧部で構成され、ワイヤの湾曲膨出部が中空柱の内周面に対向するように取り付けられているため、中空柱内で補強材配置用治具を吊り上げる場合にワイヤが電柱の内壁から突出しているノロや針金に当って引っ掛かりそうになったとしても、ワイヤはその可撓性によりノロや針金をなでるように撓りながら湾曲して滑らかに滑り、ノロや針金に引っ掛かってしまうことがなく、円滑に吊り上げることができる。
【００１４】
請求項２記載の中空柱用補強材配置用治具は、請求項１記載の中空柱用補強材配置用治具において、前記フレームは、中心にガイド軸が貫通するガイド孔が形成される中心部を有することを要旨とする。
【００１５】
請求項２記載の中空柱用補強材配置用治具では、フレームは中心にガイド軸が貫通するガイド孔が形成される中心部を有し、このガイド孔にガイド軸を挿通することができる。
【００１６】
請求項３記載の中空柱用補強材配置用治具は、請求項２記載の中空柱用補強材配置用治具において、前記フレームは、前記中心部から前記円弧部に延出する複数のアームを有することを要旨とする。
【００１７】
請求項３記載の中空柱用補強材配置用治具では、フレームは中心部から円弧部に延出する複数のアームを有し、このアームにより複数の保持部を確実に保持できるとともに、中空柱の内径に合わせて、アームの長さを調整することにより、任意の大きさの中空柱に適用することができる。
【００１８】
請求項４記載の中空柱用補強材配置用治具は、請求項２記載の中空柱用補強材配置用治具において、前記フレームは、前記中心部の外側が膨出して構成され、この膨出した外側に前記複数の円弧部が設けられていることを要旨とする。
【００１９】
請求項４記載の中空柱用補強材配置用治具では、フレームは中心部の外側が膨出して構成され、この膨出した外側に複数の円弧部が設けられているため、中心部と円弧部とを連結するアームが不要となり、構造を簡単化することができる。
【００２０】
請求項５記載の中空柱用補強材配置用治具は、請求項２記載の中空柱用補強材配置用治具であって、前記フレームは、前記複数の円弧部をリング状に保持するリング部と、このリング部を前記中心部に連結する連結部とを有することを要旨とする。
【００２１】
請求項５記載の中空柱用補強材配置用治具では、複数の円弧部がリング部でリング状に保持され、このリング部が連結部で中心部に連結される。
【００２２】
請求項６記載の中空柱用補強材配置用治具は、請求項３乃至５のいずれか１項に記載の中空柱用補強材配置用治具において、前記円弧部は、隣接する円弧部の端部同士が互いに連結されていることを要旨とする。
【００２３】
請求項６記載の中空柱用補強材配置用治具では、円弧部は隣接する円弧部の端部同士が互いに連結されているため、複数の円弧部は互いに強固に連結されている。
【００２４】
請求項７記載の中空柱用補強材配置用治具は、請求項１乃至６のいずれか１項に記載の中空柱用補強材配置用治具において、前記ワイヤは、複数の円弧部のうち、所望の位置の円弧部の開口部にのみ取り付けられることを要旨とする。
【００２５】
請求項７記載の中空柱用補強材配置用治具にあっては、ワイヤは複数の円弧部のうち、所望の位置の円弧部の開口部にのみ取り付けられるため、中空柱内に挿通される棒状部材の数に合わせてワイヤを適宜取り付けて効率的に使用でき、例えば多数の円弧部を有する中空柱用補強材配置用治具を１種類のみ標準品として用意し、所望の数だけワイヤを取り付けることにより種々の数の棒状部材の配置に柔軟に適用することができる。
【００２６】
請求項８記載の中空柱用補強材配置用治具は、請求項１乃至７のいずれか１項に記載の中空柱用補強材配置用治具において、複数の棒状部材を中空柱内に均等に配置すべく、前記フレームは前記複数の円弧部を中空柱内で円周方向に均等に配置するように構成されていることを要旨とする。
【００２７】
請求項８記載の中空柱用補強材配置用治具では、複数の円弧部は中空柱内で円周方向に均等に配置されるため、複数の棒状部材は中空柱内で均等に配置され、中空柱を確実に補強することができる。
【発明の効果】
【００２８】
本発明によれば、複数の保持部が可撓性を有するワイヤと円弧部で構成され、ワイヤの湾曲膨出部が中空柱の内周面に対向するように取り付けられているので、中空柱内で補強材配置用治具を吊り上げる場合にワイヤが電柱の内壁から突出しているノロや針金に当って引っ掛かりそうになったとしても、ワイヤはその可撓性によりノロや針金をなでるように撓りながら湾曲して滑らかに滑り、ノロや針金に引っ掛かってしまうことがなくなり、棒状部材を挿通された補強材配置用治具を中空柱内で円滑に吊り上げることができる。
【発明を実施するための最良の形態】
【００２９】
以下、本発明の実施の形態を図面を参照して説明する。
【００３０】
図１は、本発明の第１の実施例に係わる中空柱用補強材配置用治具の構成を示す斜視図である。この中空柱用補強材配置用治具（以下、補強材配置用治具と称する）１０は、図１５、１６で説明したように、中空柱であるコンクリート製の電柱１を補強するために補強材として電柱１内に挿入される複数の棒状部材１００を電柱１内に均等に配置するために電柱１内に挿入されて使用されるものであり、複数の棒状部材１００をそれぞれ保持する複数（図１では６個）の保持部１１を有する。
【００３１】
この保持部１１は、それぞれ円弧状に湾曲した可撓性を有するワイヤ１３と、このワイヤ１３に対向して配設されている円弧部１５とから構成され、ワイヤ１３は円弧部１５の両端にねじ１７により可動自在に取り付けられている。
【００３２】
補強材配置用治具１０が複数の棒状部材１００を電柱１内に均等に配置するように保持部１１が棒状部材１００を保持すべく電柱１内に挿入される場合には、複数の保持部１１のワイヤ１３の湾曲膨出部が電柱１の内周面に対向するようにワイヤ１３は円弧部１５の両端に取り付けられ、また円弧部１５の開口部、すなわち凹んだ部分も電柱１の内周面に対向するようになっている。
【００３３】
補強材配置用治具１０は、電柱１の中心を通るように電柱１内に挿通されるガイド軸が貫通するガイド孔２１が形成された中心部２３を有し、この中心部２３から放射状に複数の円弧部１５に向かうように連結部となる複数(図１では４本)のアーム２５が延出している。
【００３４】
中心部２３から放射状に延出した複数のアーム２５は、複数の円弧部１５を一体的に連結しているリング部２７に連結されている。そして、このリング部２７で一体的に連結された複数の円弧部１５とワイヤ１３とからなる複数の保持部１１は、中心部２３を中心にリング部２７上で円周方向に均等に配設されている。この結果、これらの保持部１１に電柱１の補強材としての複数の棒状部材が挿通された場合には、これらの棒状部材は電柱１内で円周方向に均等に配設されることになる。なお、図１においては、リング部２７の一部と複数の円弧部１５の一部と融合するようにリング部２７が複数の円弧部１５を一体的に連結しているが、本発明はこれに限定されるものではなく、リング部２７と各円弧部１５がそれぞれ独立して形成され、この独立して形成されたリング部２７と各円弧部１５とが直接または連結部等を介して一体的に連結されてもよい。
【００３５】
図２は、図１に示した補強材配置用治具１０において複数、すなわち６個の円弧部１５のすべてにワイヤ１３を取り付けるのでなく、３本のワイヤ１３を一個置きの円弧部１５に円周方向に均等に取り付けて、３個の保持部１１のみを設けた補強材配置用治具１０を示している図である。
【００３６】
すなわち、電柱内に補強材として３本の棒状部材を挿通する場合には、図１に示した補強材配置用治具１０において、６個の保持部１１のすべてにワイヤ１３を取り付けるのでなく、３本のワイヤ１３を一個置きの円弧部１５に取り付けて、３個の保持部１１のみを構成すればよいものである。
【００３７】
図３は、図２に示すように、３個の保持部１１を有する補強材配置用治具１０の保持部１１にそれぞれ３本の棒状部材１００を挿通すると同時に中心部２３のガイド孔２１にガイド軸１１０を挿通した様子を示す図である。
【００３８】
図３に示すように、３本の棒状部材１００を補強材配置用治具１０の３個の保持部１１にそれぞれ電柱内で挿通すると同時にガイド孔２１にガイド軸１１０を挿通するには、図１５（ｂ）に示したように、補強材配置用治具１０を電柱１の側面開口１０１から複数の棒状部材１００の下側に挿入し、それから電柱１の頂部開口１３１から吊り下げられた吊り糸で補強材配置用治具１０を上方に吊り上げつつ、操作具で補強材配置用治具１０を操作して位置や姿勢を調整しながら、補強材配置用治具１０の３個の保持部１１に３本の棒状部材１００をそれぞれ挿入すると同時にガイド軸１１０にガイド孔２１を挿通し、それから補強材配置用治具１０を電柱１内の所定の上方まで吊り糸で吊り上げる。
【００３９】
このように、電柱１内において、補強材配置用治具１０の各保持部１１に棒状部材１００を挿通すると同時にガイド孔２１にガイド軸１１０を挿通するために、補強材配置用治具１０を電柱１内に挿入してから上方に吊り上げると、この吊り吊り上げ中において保持部１１のワイヤ１３の湾曲膨出部が電柱１の内壁から突出しているノロや針金に引っ掛かってしまい、円滑に吊り上げることができないという問題が従来あったが、本実施形態の補強材配置用治具１０では保持部１１が可撓性を有するワイヤ１３で構成しているため、このワイヤ１３が電柱１の内壁から突出しているノロや針金に当って引っ掛かりそうになったとしても、ワイヤ１３は、その可撓性によりノロや針金上をなでるように撓りながら湾曲して滑らかに滑るため、ワイヤ１３がノロや針金に引っ掛かってしまうことがなくなる。この結果、電柱１内で保持部１１に棒状部材１００が挿通されガイド孔２１にガイド軸１１０が挿通された補強材配置用治具１０は、電柱内でノロや針金に引っ掛かることなく円滑に吊り上げられる。
【００４０】
図４は、本発明の第２の実施形態に係わる補強材配置用治具の構成を示す斜視図である。
【００４１】
図４に示す補強材配置用治具３０は、図１に示した第１の実施形態の補強材配置用治具１０においてリング部２７を削除し、隣接する円弧部１５の端部同士を一体的に連結するとともに、中心部２３から延出している複数(図４では４本)のアーム２５を円弧部１５や円弧部１５の端部同士の連結部に連結するように構成した点が異なるものであり、その他の構成は第１の実施形態の補強材配置用治具１０と同じであり、同じ構成要素には同じ符号を付している。
【００４２】
この構成される第２の実施形態の補強材配置用治具３０も、保持部１１が第１の実施形態と同様にワイヤ１３を用いて構成されているため、第１の実施形態と同様にワイヤ１３が電柱１の内壁から突出しているノロや針金に当って引っ掛かりそうになったとしても、ワイヤ１３は、その可撓性によりノロや針金上をなでるように撓りながら湾曲して滑らかに滑るため、ワイヤ１３がノロや針金に引っ掛かってしまうことがなくなり、補強材配置用治具３０は、電柱内でノロや針金に引っ掛かることなく円滑に吊り上げられる。
【００４３】
すなわち、電柱１内において、補強材配置用治具１０の各保持部１１に棒状部材を挿通するために、補強材配置用治具１０を電柱内に挿入してから上方に吊り上げても、ワイヤ１３が電柱の内壁から突出しているノロや針金に当って引っ掛かってしまうことがなく、補強材配置用治具３０を電柱内で円滑に吊り上げることができる。
【００４４】
図５は、図４に示した第２の実施形態の補強材配置用治具３０において６個の円弧部１５のすべてにワイヤ１３を取り付けるのでなく、３本のワイヤ１３を一個置きの円弧部１５に円周方向に均等に取り付けて、３個の保持部１１のみを設けた補強材配置用治具３０を示している図である。このように構成される補強材配置用治具３０においても、その他の構成、作用、効果は、図４と同じである。
【００４５】
図６は、図５に示した３個の保持部１１を有する補強材配置用治具３０の保持部１１にそれぞれ３本の棒状部材１００を挿通すると同時に中心部２３のガイド孔２１にガイド軸１１０を挿通した様子を示しているものである。このように構成される補強材配置用治具３０においても、その他の構成、作用、効果は、図４と同じである。
【００４６】
図７は、本発明の第３の実施形態に係わる補強材配置用治具の構成を示す斜視図である。
【００４７】
図７に示す補強材配置用治具４０は、図４に示した第２の実施形態の補強材配置用治具３０において隣接する円弧部１５の端部同士を連結せずに切り離して独立させるとともに、中心部２３から延出している各アーム２５を各円弧部１５の中心に連結するように構成し、かつワイヤ１３と円弧部１５からなる保持部１１を４個設けるようにした点が異なるものであり、その他の構成は第２の実施形態の補強材配置用治具３０と同じであり、同じ構成要素には同じ符号を付している。
【００４８】
この構成される第３の実施形態の補強材配置用治具３０も、保持部１１が第１、第２の実施形態と同様にワイヤ１３を用いて構成されているため、第１、第２の実施形態と同様にワイヤ１３が電柱１の内壁から突出しているノロや針金に当って引っ掛かりそうになったとしても、ワイヤ１３は、その可撓性によりノロや針金上をなでるように撓りながら湾曲して滑らかに滑るため、ワイヤ１３がノロや針金に引っ掛かってしまうことがなくなり、補強材配置用治具４０は、電柱内でノロや針金に引っ掛かることなく円滑に吊り上げられる。
【００４９】
すなわち、電柱１内において、補強材配置用治具４０の各保持部１１に棒状部材を挿通するために、補強材配置用治具４０を電柱内に挿入してから上方に吊り上げても、ワイヤ１３が電柱の内壁から突出しているノロや針金に当って引っ掛かってしまうことがなく、補強材配置用治具４０を電柱１内で円滑に吊り上げることができる。
【００５０】
図８は、図７に示した４個の保持部１１を有する補強材配置用治具４０の保持部１１にそれぞれ４本の棒状部材１００を挿通すると同時に中心部２３のガイド孔２１にガイド軸１１０を挿通した様子を示しているものである。このように構成される補強材配置用治具３０においても、その他の構成、作用、効果は、図４と同じである。
【００５１】
なお、上述したように、アーム２５を用いて円弧部１５を中心部２３に連結して取り付けることにより、アーム２５の長さを電柱１の内径に合わせて適宜調整することができ、任意の大きさの電柱１に適用することができる。
【００５２】
図９は、本発明の第４の実施形態に係わる補強材配置用治具の構成を示す斜視図である。
【００５３】
図９に示す補強材配置用治具５０は、図７に示した第３の実施形態の補強材配置用治具４０においてアーム２５を削除して、各円弧部１５の中心を中心部２３に直接連結するように構成した点が異なるものであり、その他の構成は第３の実施形態の補強材配置用治具３０と同じであり、同じ構成要素には同じ符号を付している。
【００５４】
図１０は、図９に示した４個の保持部１１を有する補強材配置用治具５０の保持部１１にそれぞれ４本の棒状部材１００を挿通すると同時に中心部２３のガイド孔２１にガイド軸１１０を挿通した様子を示しているものである。このように構成される補強材配置用治具５０においても、その他の構成、作用、効果は、図７と同じである。
【００５５】
なお、図９に示す補強材配置用治具５０において、円弧部１５は中心部２３の外側に連結されているが、この中心部２３を大きくするなどして、すなわち中心部２３の外側を膨出させ、この膨出した中心部２３の外側に複数の円弧部１５を設けることにより、円弧部１５を大きな直径で配置することができ、大きな内径の電柱に補強材配置用治具５０を適用することができる。
【００５６】
図１１は、本発明の第５の実施形態に係わる補強材配置用治具の構成を示す斜視図である。
【００５７】
図１１に示す補強材配置用治具６０は、図１に示した第１の実施形態の補強材配置用治具１０において円弧部１５を１０個設け、この１０個の円弧部１５のうちの一つ置きの５個の円弧部１５にのみワイヤ１３を取り付けて５個の保持部１１を構成するとともに、１０個の円弧部１５を連結しているリング部２７と中心部２３との間に別のリング部６１を設け、このリング部６１で４本のアーム２５の中程を連結してアーム２５の強度を増すように構成した点が異なるものであり、その他の構成は第１の実施形態の補強材配置用治具１０と同じであり、同じ構成要素には同じ符号を付している。
【００５８】
この構成される第５の実施形態の補強材配置用治具６０も、保持部１１がワイヤ１３を用いて構成されているため、ワイヤ１３が電柱１の内壁から突出しているノロや針金に当って引っ掛かりそうになったとしても、ワイヤ１３は、その可撓性によりノロや針金上をなでるように撓りながら湾曲して滑らかに滑るため、ワイヤ１３がノロや針金に引っ掛かってしまうことがなくなる。
【００５９】
すなわち、図１１に示すように、５個の保持部１１のそれぞれに棒状部材１００を挿入すると同時にガイド孔２１にガイド軸１１０を挿通して、電柱１内において、補強材配置用治具６０を上方に吊り上げても、ワイヤ１３が電柱１の内壁から突出しているノロや針金に当って引っ掛かってしまうことがなく、補強材配置用治具１０を電柱１内で円滑に吊り上げることができるとともに、リング部２７に均等に配設された保持部１１により複数の棒状部材１００を電柱１内で円周方向に均等に配設することができる。
【００６０】
なお、図１１に示す第５の実施形態の補強材配置用治具６０は、運動場を夜間に照明するナイター照明用あるいは電力送電線用の大口径の鋼管柱に利用でき、さらには、複数の棒状部材１００を電柱１内で均等に配置する用途の他に、例えば複数の照明を均等に天井に吊り下げるための照明吊り下げ器具にも利用することができる。
【００６１】
図１２は、本発明の第６の実施形態に係わる補強材配置用治具の構成を示す斜視図である。
【００６２】
図１２に示す補強材配置用治具７０は、図９に示した第４の実施形態の補強材配置用治具５０においてワイヤ１３と円弧部１５からなる保持部１１を３個のみ設けたものであり、その他の構成は第４の実施形態の補強材配置用治具５０と同じであり、同じ構成要素には同じ符号を付している。
【００６３】
図１３は、図１２に示す補強材配置用治具７０においてワイヤ１３を取り除いた状態を示す平面図である。
【００６４】
図１４は、図１２に示した３個の保持部１１を有する補強材配置用治具７０の保持部１１にそれぞれ棒状部材１００を挿通すると同時に中心部２３のガイド孔２１にガイド軸１１０を挿通した様子を示しているものである。このように構成される補強材配置用治具５０においても、その他の構成、作用、効果は、図９と同じである。
【図面の簡単な説明】
【００６５】
【図１】本発明の第１の実施例に係わる中空柱用補強材配置用治具の構成を示す斜視図である。
【図２】図１に示した中空柱用補強材配置用治具において３個の円弧部にのみワイヤを取り付けて３個の保持部を有する中空柱用補強材配置用治具を示す斜視図である。
【図３】図２に示す中空柱用補強材配置用治具に複数の棒状部材とガイド軸を挿通した状態を示す斜視図である。
【図４】本発明の第２の実施例に係わる中空柱用補強材配置用治具の構成を示す斜視図である。
【図５】図４に示した中空柱用補強材配置用治具において３個の円弧部にのみワイヤを取り付けて３個の保持部を有する中空柱用補強材配置用治具を示す斜視図である。
【図６】図５に示す中空柱用補強材配置用治具に複数の棒状部材とガイド軸を挿通した状態を示す斜視図である。
【図７】本発明の第３の実施形態に係わる中空柱用補強材配置用治具の構成を示す斜視図である。
【図８】図７に示す中空柱用補強材配置用治具に複数の棒状部材とガイド軸を挿通した状態を示す斜視図である。
【図９】本発明の第４の実施形態に係わる中空柱用補強材配置用治具の構成を示す斜視図である。
【図１０】図９に示す中空柱用補強材配置用治具に複数の棒状部材とガイド軸を挿通した状態を示す斜視図である。
【図１１】本発明の第５の実施形態に係わる中空柱用補強材配置用治具の構成を示す斜視図である。
【図１２】本発明の第６の実施形態に係わる中空柱用補強材配置用治具の構成を示す斜視図である。
【図１３】図１２に示す中空柱用補強材配置用治具においてワイヤを取り除いた状態を示す平面図である。
【図１４】図１２に示す中空柱用補強材配置用治具に複数の棒状部材とガイド軸を挿通した状態を示す斜視図である。
【図１５】（ａ）は従来の中空柱用補強材配置用治具を示す斜視図であり、（ｂ）は中空柱用補強材配置用治具を用いて複数の棒状部材を電柱内に均等に挿入した様子を示す図である。
【図１６】中空柱用補強材配置用治具を用いて棒状部材を電柱内に挿通してから電柱の内部に豆砂利、砕石、モルタルを投入して全体的に補強した電柱を示している断面図である。
【符号の説明】
【００６６】
１  電柱
１０，３０，４０，５０，６０，７０  中空柱用補強材配置用治具
１１  保持部
１３  ワイヤ
１５  円弧部
２１  ガイド孔
２３  中心部
２５  アーム
２７  リング部
１００  棒状部材
【図１】
2010047982.tif 000003
【図２】
2010047982.tif 000004
【図３】
2010047982.tif 000005
【図４】
2010047982.tif 000006
【図５】
2010047982.tif 000007
【図６】
2010047982.tif 000008
【図７】
2010047982.tif 000009
【図８】
2010047982.tif 000010
【図９】
2010047982.tif 000011
【図１０】
2010047982.tif 000012
【図１１】
2010047982.tif 000013
【図１２】
2010047982.tif 000014
【図１３】
2010047982.tif 000015
【図１４】
2010047982.tif 000016
【図１５】
2010047982.tif 000017
【図１６】
2010047982.tif 000018